(57)【要約】【課題】どのような数の画像ファイルが記憶手段に格納されていても、記憶手段に格納された画像ファイルから特定の画像ファイルを効率よく検索できるようにする。【解決手段】ユーザによる左右矢印ボタンの長押し時には、選択手段はファイルリストＦＬに並べられたファイル情報の数に応じて予め定められた飛越数毎にインデックス番号IndexNo.を飛越して選択するため、メモリカードに格納された複数の画像ファイルを飛越数毎に飛越しながら画像が表示部に表示される。すなわち、メモリカードに格納された画像ファイルの数に応じて飛越数が予め定められているため、ユーザの左右矢印ボタンの長押し時には、画像ファイルを適正な数だけ飛越しながら画像が表示部に表示される。したがって、どのような数の画像ファイルがメモリカードに格納されていても、メモリカードに格納された画像ファイルから特定の画像ファイルを効率よく検索できる。【選択図】図７
2010016540.tif 000002
【特許請求の範囲】
【請求項１】
ユーザによる操作部の画像検索操作に応じて記憶手段に格納された画像ファイルに基づく画像を表示する画像表示装置において、
前記記憶手段に格納された複数の画像ファイルそれぞれに固有のファイル名を読取る読取手段と、
前記読取手段により読取られた前記各ファイル名それぞれにインデックス番号を順次割当て、割当てたインデックス番号と、当該インデックス番号に対応する前記ファイル名とを含むファイル情報を、前記各画像ファイルそれぞれについてインデックス番号順に並べて成るファイルリストを作成するファイルリスト作成手段と、
前記ファイルリスト作成手段により作成されたファイルリストを格納するファイルリスト格納手段と、
ユーザによる前記操作部の画像検索操作時に、前記ファイルリストのなかからインデックス番号を順次選択する選択手段と、
前記選択手段により選択されたインデックス番号に対応する前記画像ファイルに基づく画像を表示する表示手段とを備え、
前記選択手段は、ユーザによる前記操作部の特定画像検索操作時に、前記ファイルリストに並べられた前記ファイル情報の数に応じて予め定められた所定値毎にインデックス番号を飛越して選択する
ことを特徴とする画像表示装置。
【請求項２】
前記ファイル情報は、前記読取手段により読取られた前記画像ファイルの生成日に関する情報をさらに含み、
前記ファイルリスト作成手段は、前記生成日の順に前記ファイル名それぞれにインデックス番号を割当てて前記ファイルリストを作成することを特徴とする請求項１に記載の画像表示装置。
【請求項３】
前記ファイルリストに前記ファイル情報が並べられた前記各画像ファイルの生成日に異なるものがあるときの前記特定画像検索操作時において、
前記選択手段は、インデックス番号を小から大に昇順に選択するものであって、選択中のインデックス番号に対応する前記画像ファイルの生成日と、当該インデックス番号に前記所定値を加算したインデックス番号に対応する前記画像ファイルの生成日とが異なるときに、
前記選択中のインデックス番号に対応する前記画像ファイルと生成日が同じ前記画像ファイルのインデックス番号のうち、最も大きいインデックス番号の次のインデックス番号を選択するように前記所定値を変更する
ことを特徴とする請求項２に記載の画像表示装置。
【請求項４】
前記ファイルリストに前記ファイル情報が並べられた前記各画像ファイルの生成日に異なるものがあるときの前記特定画像検索操作時において、
前記選択手段は、インデックス番号を大から小に降順に選択するものであって、選択中のインデックス番号に対応する前記画像ファイルの生成日と、当該インデックス番号に前記所定値を減算したインデックス番号に対応する前記画像ファイルの生成日とが異なるときに、
前記選択中のインデックス番号に対応する前記画像ファイルと生成日が同じ前記画像ファイルのインデックス番号のうち、最も小さいインデックス番号の次のインデックス番号を選択するように前記所定値を変更する
ことを特徴とする請求項２に記載の画像表示装置。
【請求項５】
前記選択手段が選択中のインデックス番号よりも大きいすべてのインデックス番号に対応する前記ファイルリストにおける生成日の情報に基づき、当該選択中のインデックス番号に対応する生成日と異なる日に生成された前記画像ファイルの前記ファイル情報が前記ファイルリストにあるか否かを判定する判定手段をさらに備えることを特徴とする請求項３に記載の画像表示装置。
【請求項６】
前記選択手段が選択中のインデックス番号よりも小さいすべてのインデックス番号に対応する前記ファイルリストにおける生成日の情報に基づき、当該選択中のインデックス番号に対応する生成日と異なる日に生成された前記画像ファイルの前記ファイル情報が前記ファイルリストにあるか否かを判定する判定手段をさらに備えることを特徴とする請求項４に記載の画像表示装置。
【請求項７】
前記ファイルリスト作成手段による前記ファイルリストの作成時に、前記各画像ファイルの生成日の情報に基づいて、すべての前記画像ファイルの生成日の数を予め記憶する生成日数記憶手段と、
前記画像検索操作時および前記特定画像検索操作時に、前記選択手段により選択されたインデックス番号に対応する前記画像ファイルの生成日が、直前に選択されたインデックス番号に対応する前記画像ファイルの生成日と異なる回数をカウントするカウント手段と、
前記カウント手段によりカウントされたカウント数と、前記生成日数記憶手段により予め記憶された生成日の数とを比較して、前記記憶された生成日の数が前記カウント数よりも大きければ、前記選択手段により選択済のインデックス番号に対応する生成日と異なる日に生成された前記画像ファイルの前記ファイル情報が前記ファイルリストにあると判定する判定手段と
をさらに備えることを特徴とする請求項３または４に記載の画像表示装置。
【請求項８】
ユーザによる操作部の画像検索操作に応じて記憶手段に格納された画像ファイルに基づく画像を表示する画像表示装置において、
前記記憶手段に格納された複数の画像ファイルそれぞれに固有のファイル名を読取る読取手段と、
前記読取手段により読取られた前記各ファイル名を含むファイル情報を、前記各画像ファイルそれぞれについて任意の並び順に並べて成るファイルリストを作成するファイルリスト作成手段と、
前記ファイルリスト作成手段により作成されたファイルリストを格納するファイルリスト格納手段と、
ユーザによる前記操作部の前記画像検索操作時に、前記ファイルリストのなかから前記ファイル名を前記並べ順に選択する選択手段と、
前記選択手段により選択された前記ファイル名に対応する前記画像ファイルに基づく画像を表示する表示手段とを備え、
前記選択手段は、ユーザによる前記操作部の特定画像検索操作時に、前記ファイルリストに並べられた前記ファイル情報の数に応じて予め定められた所定値毎に前記ファイル名を飛越して選択する
ことを特徴とする画像表示装置。
【請求項９】
ユーザによる操作部の画像検索操作に応じて記憶手段に格納された画像ファイルに基づく画像を表示する画像表示装置制御用のプログラムにおいて、
前記記憶手段に格納された複数の画像ファイルそれぞれに固有のファイル名を読取手段により読取る機能と、
前記読取手段により読取られた前記各ファイル名それぞれにインデックス番号を順次割当て、割当てたインデックス番号と、当該インデックス番号に対応する前記ファイル名とを含むファイル情報を、前記各画像ファイルそれぞれについてインデックス番号順に並べて成るファイルリストを作成するファイルリスト作成機能と、
前記ファイルリスト作成機能により作成されたファイルリストをファイルリスト格納手段に格納する機能と、
ユーザによる前記操作部の画像検索操作時に、前記ファイルリストのなかからインデックス番号を順次選択する選択機能と、
前記選択機能により選択されたインデックス番号に対応する前記画像ファイルに基づく画像を表示手段に表示する表示機能とを備え、
前記選択機能は、ユーザによる前記操作部の特定画像検索操作時に、前記ファイルリストに並べられた前記ファイル情報の数に応じて予め定められた所定値毎にインデックス番号を飛越して選択する
ように機能することを特徴とする画像表示装置制御用のプログラム。
【発明の詳細な説明】
【技術分野】
【０００１】
この発明は、画面表示装置に画像を表示する技術に関するものである。
【背景技術】
【０００２】
従来、メモリカードやＵＳＢメモリ、光ディスクなどの記憶メディアに格納された複数の画像ファイルに基づく画像を順次液晶表示部（ＬＣＤ）に表示することにより特定の画像を検索し、検索した特定の画像を液晶表示部に表示するフォトビューワや、検索した特定の画像を選択して印刷用紙に印刷するスタンドアロンプリンタなどが知られている。近年では、記憶メディアが大容量化するのに伴い、記憶メディア内に大量の画像ファイルを格納できるようになっている。したがって、大量の画像を順次液晶表示部に表示しながら特定の画像を検索するのは効率が悪く、特定の画像の検索に非常に時間がかかるという問題があった。そこで、例えば、記憶メディアに格納された画像ファイルに基づく画像を液晶表示部に順次表示するときにユーザが操作する画像送りボタンを、一定時間以上長く押すというような特殊な操作をユーザが行うと、液晶表示部に画像を順番に表示するときの画像の送り量を切換えて、画像ファイルを飛越しながら液晶表示部に画像を表示することで、画像の検索性の向上を図ったものが提案されている（例えば、特許文献１参照）。
【０００３】
【特許文献１】特開平５−２２６８９号公報（段落０００８〜０００９，００１５〜００１８、図１，２、要約書など）
【発明の開示】
【発明が解決しようとする課題】
【０００４】
ところで、記憶手段（記憶メディア）の記憶容量の増大に伴い、記憶手段に格納できる画像ファイルの数は増大しているものの、ユーザが実際に大容量化した記憶手段に大量の画像ファイルを保存するかどうかは不明である。したがって、上記したように、特殊な操作を行うと常に画像の送り量が一定に切換えられることとなれば、記憶手段に少量の画像ファイルが保存されている場合に、記憶手段に格納された画像ファイルを無駄に飛越しながら表示手段（液晶表示部）に画像を表示するおそれがあり、技術の改善が求められていた。
【０００５】
この発明は、上記課題に鑑みなされたものであり、どのような数の画像ファイルが記憶手段に格納されていても、記憶手段に格納された画像ファイルから特定の画像ファイルを効率よく検索できる技術を提供することを目的とする。
【課題を解決するための手段】
【０００６】
この発明にかかる画像表示装置は、上記目的を達成するため、ユーザによる操作部の画像検索操作に応じて記憶手段に格納された画像ファイルに基づく画像を表示する画像表示装置において、前記記憶手段に格納された複数の画像ファイルそれぞれに固有のファイル名を読取る読取手段と、前記読取手段により読取られた前記各ファイル名それぞれにインデックス番号を順次割当て、割当てたインデックス番号と、当該インデックス番号に対応する前記ファイル名とを含むファイル情報を、前記各画像ファイルそれぞれについてインデックス番号順に並べて成るファイルリストを作成するファイルリスト作成手段と、前記ファイルリスト作成手段により作成されたファイルリストを格納するファイルリスト格納手段と、ユーザによる前記操作部の画像検索操作時に、前記ファイルリストのなかからインデックス番号を順次選択する選択手段と、前記選択手段により選択されたインデックス番号に対応する前記画像ファイルに基づく画像を表示する表示手段とを備え、前記選択手段は、ユーザによる前記操作部の特定画像検索操作時に、前記ファイルリストに並べられた前記ファイル情報の数に応じて予め定められた所定値毎にインデックス番号を飛越して選択することを特徴としている。
【０００７】
また、この発明にかかる画像表示装置制御用のプログラムは、ユーザによる操作部の画像検索操作に応じて記憶手段に格納された画像ファイルに基づく画像を表示する画像表示装置制御用のプログラムにおいて、前記記憶手段に格納された複数の画像ファイルそれぞれに固有のファイル名を読取手段により読取る機能と、前記読取手段により読取られた前記各ファイル名それぞれにインデックス番号を順次割当て、割当てたインデックス番号と、当該インデックス番号に対応する前記ファイル名とを含むファイル情報を、前記各画像ファイルそれぞれについてインデックス番号順に並べて成るファイルリストを作成するファイルリスト作成機能と、前記ファイルリスト作成機能により作成されたファイルリストをファイルリスト格納手段に格納する機能と、ユーザによる前記操作部の画像検索操作時に、前記ファイルリストのなかからインデックス番号を順次選択する選択機能と、前記選択機能により選択されたインデックス番号に対応する前記画像ファイルに基づく画像を表示手段に表示する表示機能とを備え、前記選択機能は、ユーザによる前記操作部の特定画像検索操作時に、前記ファイルリストに並べられた前記ファイル情報の数に応じて予め定められた所定値毎にインデックス番号を飛越して選択するように機能することを特徴としている。
【０００８】
このように構成された発明では、ユーザによる操作部の画像検索操作時に、選択手段がファイルリストのなかからインデックス番号を順次選択し、表示手段が選択手段により選択されたインデックス番号に対応する画像ファイルに基づく画像を表示する。そして、ユーザによる操作部の特定画像検索操作時には、選択手段はファイルリストに並べられたファイル情報の数に応じて予め定められた所定値毎にインデックス番号を飛越して選択するため、記憶手段に格納された複数の画像ファイルを所定値毎に飛越しながら画像が表示手段に表示される。換言すれば、ファイル情報の数、すなわち記憶手段に格納された画像ファイルの数に応じて所定値が予め定められているため、ユーザの特定画像検索操作時には、画像ファイルを適正な数だけ飛越しながら画像が表示手段に表示される。したがって、どのような数の画像ファイルが記憶手段に格納されていても、記憶手段に格納された画像ファイルから特定の画像ファイルを効率よく検索できる。
【０００９】
例えば、ユーザは操作部の画像検索操作により記憶手段内の画像ファイルに基づく画像を順次表示手段に表示することで、記憶手段内の画像ファイルから特定の画像ファイルを検索できるが、このとき、記憶手段に格納された画像ファイル数が少ないときは、所定値を予め小さく定めることで、ユーザは操作部の特定画像検索操作により記憶手段内の画像ファイルを小さく定められた所定値毎に飛越しながら画像を表示手段に表示できる。したがって、記憶手段に格納された画像ファイル数が少ないときには、画像ファイルを無駄に飛越すことなく、画像を表示手段に表示できるので、記憶手段内の画像ファイルから特定の画像ファイルを検索する検索性を損なうことがない。また、記憶手段に格納された画像ファイル数が多いときは、所定値を予め大きく定めることで、ユーザは操作部の特定画像検索操作により記憶手段内の画像ファイルを大きく定められた所定値毎に飛越しながら画像を表示手段に表示できる。したがって、記憶手段に格納された画像ファイル数が多いときには、画像ファイルを大きく飛越しつつ、画像を表示手段に表示できるので、記憶手段に格納された画像ファイルからの特定の画像ファイルの検索性を向上できる。
【００１０】
また、前記ファイル情報は、前記読取手段により読取られた前記画像ファイルの生成日に関する情報をさらに含み、前記ファイルリスト作成手段は、前記生成日の順に前記ファイル名それぞれにインデックス番号を割当てて前記ファイルリストを作成するようにしてもよい。このような構成とすれば、ファイルリストにおけるファイル情報の並び順を、画像ファイルの生成日の順にすることで、画像ファイルの生成日の順に画像が表示手段に表示されることとなる。したがって、ユーザは、ファイルリストへのファイル情報の並び順を直感的に知ることができるため、ユーザは記憶手段内の画像ファイルから特定の画像ファイルを効率よく検索できる。
【００１１】
また、前記ファイルリストに前記ファイル情報が並べられた前記各画像ファイルの生成日に異なるものがあるときの前記特定画像検索操作時において、前記選択手段は、インデックス番号を小から大に昇順に選択するものであって、選択中のインデックス番号に対応する前記画像ファイルの生成日と、当該インデックス番号に前記所定値を加算したインデックス番号に対応する前記画像ファイルの生成日とが異なるときに、前記選択中のインデックス番号に対応する前記画像ファイルと生成日が同じ前記画像ファイルのインデックス番号のうち、最も大きいインデックス番号の次のインデックス番号を選択するように前記所定値を変更するようにしてもよい。
【００１２】
また、前記ファイルリストに前記ファイル情報が並べられた前記各画像ファイルの生成日に異なるものがあるときの前記特定画像検索操作時において、前記選択手段は、インデックス番号を大から小に降順に選択するものであって、選択中のインデックス番号に対応する前記画像ファイルの生成日と、当該インデックス番号に前記所定値を減算したインデックス番号に対応する前記画像ファイルの生成日とが異なるときに、前記選択中のインデックス番号に対応する前記画像ファイルと生成日が同じ前記画像ファイルのインデックス番号のうち、最も小さいインデックス番号の次のインデックス番号を選択するように前記所定値を変更するようにしてもよい。
【００１３】
このような構成とすれば、選択中のインデックス番号に対応する画像ファイルの生成日と、次に選択手段により選択されるインデックス番号に対応する画像ファイルの生成日とが異なるときは、選択手段は、以下のように次のインデックス番号を選択する。すなわち、選択手段が、インデックス番号を小から大に昇順に選択するものであれば、選択手段は、選択中のインデックス番号に対応する画像ファイルと生成日が同じ画像ファイルのインデックス番号のうち、最も大きいインデックス番号の次のインデックス番号を選択する。また、選択手段が、インデックス番号を大から小に降順に選択するものであれば、選択手段は、選択中のインデックス番号に対応する画像ファイルと生成日が同じ画像ファイルのインデックス番号のうち、最も小さいインデックス番号の次のインデックス番号を選択する。したがって、選択手段は、画像ファイルの生成日を大きく跨いで飛越すようにインデックス番号の選択を行わないため、生成日を同じくする画像ファイル中での特定の画像ファイルの選択を、ユーザによる操作部の操作で容易に実現できる。
【００１４】
また、前記選択手段が選択中のインデックス番号よりも大きいすべてのインデックス番号に対応する前記ファイルリストにおける生成日の情報に基づき、当該選択中のインデックス番号に対応する生成日と異なる日に生成された前記画像ファイルの前記ファイル情報が前記ファイルリストにあるか否かを判定する判定手段をさらに備えてもよい。
【００１５】
また、前記選択手段が選択中のインデックス番号よりも小さいすべてのインデックス番号に対応する前記ファイルリストにおける生成日の情報に基づき、当該選択中のインデックス番号に対応する生成日と異なる日に生成された前記画像ファイルの前記ファイル情報が前記ファイルリストにあるか否かを判定する判定手段をさらに備えてもよい。
【００１６】
このような構成とすれば、選択手段が、インデックス番号を小から大に昇順に選択するものであれば、判定手段は、選択手段が選択中のインデックス番号よりも大きいすべてのインデックス番号に対応するファイルリストにおける生成日の情報に基づき、当該選択中のインデックス番号に対応する生成日と異なる日に生成された画像ファイルのファイル情報がファイルリストにあるか否かを判定する。また、選択手段が、インデックス番号を大から小に降順に選択するものであれば、判定手段は、選択手段が選択中のインデックス番号よりも小さいすべてのインデックス番号に対応するファイルリストにおける生成日の情報に基づき、当該選択中のインデックス番号に対応する生成日と異なる日に生成された画像ファイルのファイル情報がファイルリストにあるか否かを判定する。したがって、選択手段が選択中のインデックス番号の後に選択するインデックス番号に対応する画像ファイルの生成日に、選択中のインデックス番号に対応する画像ファイルの生成日と異なるものがあるか否かを容易に判定できる。
【００１７】
また、前記ファイルリスト作成手段による前記ファイルリストの作成時に、前記各画像ファイルの生成日の情報に基づいて、すべての前記画像ファイルの生成日の数を予め記憶する生成日数記憶手段と、前記画像検索操作時および前記特定画像検索操作時に、前記選択手段により選択されたインデックス番号に対応する前記画像ファイルの生成日が、直前に選択されたインデックス番号に対応する前記画像ファイルの生成日と異なる回数をカウントするカウント手段と、前記カウント手段によりカウントされたカウント数と、前記生成日数記憶手段により予め記憶された生成日の数とを比較して、前記記憶された生成日の数が前記カウント数よりも大きければ、前記選択手段により選択済のインデックス番号に対応する生成日と異なる日に生成された前記画像ファイルの前記ファイル情報が前記ファイルリストにあると判定する判定手段とをさらに備える構成でもよい。
【００１８】
このような構成とすれば、判定手段により、カウント手段によりカウントされたカウント数と、生成日数記憶手段により予め記憶された生成日の数とが比較され、記憶された生成日の数がカウント数よりも大きければ、選択手段により選択済のインデックス番号に対応する生成日と異なる日に生成された画像ファイルのファイル情報がファイルリストにあると容易に判定することができる。
【００１９】
また、この発明にかかる画像表示装置は、上記目的を達成するため、ユーザによる操作部の画像検索操作に応じて記憶手段に格納された画像ファイルに基づく画像を表示する画像表示装置において、前記記憶手段に格納された複数の画像ファイルそれぞれに固有のファイル名を読取る読取手段と、前記読取手段により読取られた前記各ファイル名を含むファイル情報を、前記各画像ファイルそれぞれについて任意の並び順に並べて成るファイルリストを作成するファイルリスト作成手段と、前記ファイルリスト作成手段により作成されたファイルリストを格納するファイルリスト格納手段と、ユーザによる前記操作部の前記画像検索操作時に、前記ファイルリストのなかから前記ファイル名を前記並べ順に選択する選択手段と、前記選択手段により選択された前記ファイル名に対応する前記画像ファイルに基づく画像を表示する表示手段とを備え、前記選択手段は、ユーザによる前記操作部の特定画像検索操作時に、前記ファイルリストに並べられた前記ファイル情報の数に応じて予め定められた所定値毎に前記ファイル名を飛越して選択することを特徴としている。
【００２０】
このように構成された発明では、ユーザによる操作部の画像検索操作時に、選択手段がファイルリストのなかからファイル名を並び順に選択し、表示手段が選択手段により選択されたファイル名に対応する画像ファイルに基づく画像を表示する。そして、ユーザによる操作部の特定画像検索操作時には、選択手段はファイルリストに並べられたファイル情報の数に応じて予め定められた所定値毎にファイル名を飛越して選択するため、記憶手段に格納された複数の画像ファイルを所定値毎に飛越しながら画像が表示手段に表示される。換言すれば、ファイル情報の数、すなわち記憶手段に格納された画像ファイルの数に応じて所定値が予め定められているため、ユーザの特定画像検索操作時には、画像ファイルを適正な数だけ飛越しながら画像が表示手段に表示される。したがって、どのような数の画像ファイルが記憶手段に格納されていても、記憶手段に格納された画像ファイルから特定の画像ファイルを効率よく検索できる。
【発明を実施するための最良の形態】
【００２１】
図１は本発明の画像表示装置の一実施形態であるフォトプリンタ１０を示す斜視図である。また、図２はフォトプリンタ１０の内部構成の概略を示す図である。このフォトプリンタ１０では、プリンタ本体１２の内部にはプリント機構５０（図２参照）が内蔵されており、フォトプリンタ１０の全体の制御を司るコントローラ７０（図２参照）からの動作指令に応じて用紙Ｐへの印刷を実行する。そして、こうして印刷された用紙がプリンタ本体１２の前面に排紙される。
【００２２】
このプリンタ本体１２の前面には、図１に示すように、前面扉１４が開閉自在に取り付けられている。この前面扉１４はプリンタ本体１２の前面を開閉するための蓋である。そして、開状態のときには、プリント機構５０から排紙される用紙Ｐを受けるための排紙トレイとして機能する。また、プリンタ本体１２の前面に設けられた各種のメモリカードスロット１６をユーザが利用可能な状態となる。つまり、この状態でユーザは印刷対象となる画像ファイルを記憶したメモリカードＭをメモリカードスロット１６に差し込むことができる。なお、例えば、プリンタ本体１２のベース部分に光ディスクドライブ（ＯＤＤ：Optical Disc Drive）を設け、記録媒体としてメモリカード以外に音楽ＣＤ（Compact Disc：コンパクトディスク）や映像ＤＶＤ（Digital Versatile Disc：デジタル多用途ディスク）などのディスクを利用可能な構成としてもよい。そして、メモリカードＭやディスク内にはデジタルカメラなどの撮影機器により撮影された複数の画像ファイルが格納される。以上のように、本実施形態では、メモリカードＭ、ディスクなどの記録媒体が本発明の「記憶手段」として構成されている。
【００２３】
また、プリンタ本体１２の上面には操作パネル２０が設けられる一方、プリンタ本体１２の上面の奥の一辺に対してカバー３０が開閉自在に取り付けられている。このカバー３０は、プリンタ本体１２の上面を覆うことのできる大きさに成型された樹脂板であり、開状態では操作パネル２０の表面を外部に露出する（図１参照）。一方、カバー３０が閉状態に閉じられると、操作パネル２０全体を覆う。
【００２４】
この操作パネル２０には、文字や図形、記号などを表示する表示部２２と、この表示部２２の周囲に配置されたボタン群２４とを備えている。ボタン群２４は、図２に示すように、電源のオンオフを行うための電源ボタン２４ａ、メインメニュー画面を呼び出すためのメニューボタン２４ｂ、操作を途中でキャンセルしたり用紙Ｐへの印刷を途中で中断したりするためのキャンセルボタン２４ｃ、用紙Ｐへの印刷実行を指示するための印刷ボタン２４ｄ、メモリカードスロット１６に挿入されたメモリカードＭに編集画像等を保存するための保存ボタン２４ｅ、表示部２２に表示された複数の選択肢の中から所望の選択肢を選択したりカーソルを移動したりするときに操作される上下左右の各矢印ボタン２４ｆ〜２４ｉ、この上下左右の各矢印ボタン２４ｆ〜２４ｉの中央に配置され各矢印ボタン２４ｆ〜２４ｉによって選択されている選択肢に決定したことを指示するためのＯＫボタン２４ｊ、表示部２２での画面表示を切り替えるための表示切替ボタン２４ｋ、表示部２２に表示される左ガイドを選択する左ガイド選択ボタン２４ｌ、表示部２２に表示される右ガイドを選択する右ガイド選択ボタン２４ｍ、排紙トレイとしての機能を備えた前面扉１４を開く排紙トレイオープンボタン２４ｎなどで構成されている。なお、後述するように各矢印ボタン２４ｆ〜２４ｉが本発明の「操作部」として構成されている。
【００２５】
また、表示部２２の表示内容を確認するために、カバー３０には表示部２２と同じ大きさの窓３２が設けられている。つまり、カバー３０が閉状態にあるときにはユーザはこの窓３２を介して表示部２２の表示内容を確認することができる。一方、カバー３０は開状態のときには、表示部２２を図１に示すように好みの角度に調整することが可能となっている。
【００２６】
このようにカバー３０を開状態としたときには、操作パネル２０に対して斜め後方に傾斜した状態でカバー３０は保持され、用紙Ｐをプリント機構５０へ供給するためのトレイとして利用可能となっている。また、操作パネル２０の奥には、プリント機構５０の給紙口５８が設けられるとともに、ガイド幅が用紙の幅に合うように左右方向にスライド操作される一対の用紙ガイド５９，５９が設けられている。
【００２７】
そして、給紙口５８を介して用紙Ｐがプリント機構５０に送り込まれて印刷が実行される。このプリント機構５０には、図２に示すように、キャリッジ５３が左右方向にループ状に架け渡されたタイミングベルト５１により駆動されガイド５２に沿って左右に往復動する。このキャリッジ５３には、紙端検出センサ５７が設けられ、用紙Ｐの左右端や上下端を検出する。つまり、紙端検出センサ５７は、給紙口５８にセットされた用紙に対して印刷前にキャリッジ５３が左右方向に走査したときにその用紙の左右端を検出して用紙幅の認識を可能にしたり、印刷途中で用紙の後端を検出して用紙長さの認識を可能にしたりする。
【００２８】
また、このキャリッジ５３には、シアン・マゼンタ・イエロー・ブラック等の各色のインクを個別に収容したインクカートリッジ５４が搭載されている。これらのインクカートリッジ５４はそれぞれ印刷ヘッド５５に接続されている。そして、印刷ヘッド５５はインクカートリッジ５４からのインクに圧力をかけてノズル（図示省略）から用紙Ｐに向かってインクを吐出する。この実施形態では、印刷ヘッド５５は圧電素子に電圧をかけることにより該圧電素子を変形させてインクを加圧する方式を採用しているが、発熱抵抗体（例えばヒータなど）に電圧をかけインクを加熱して発生した気泡によりインクを加圧する方式を採用してもよい。こうして印刷された用紙Ｐは搬送ローラ５６によって開状態の前面扉（排紙トレイ）１４へ送り出される。
【００２９】
また、プリンタ本体１２の背面にはバッテリパックを装着可能となっており、商用電源に接続しなくとも本プリンタ１０をバッテリにより動作させることが可能となっている。この点および本プリンタ１０がホストコンピュータに接続しなくても使用することができるスタンドアロンプリンタとなっている点により、本プリンタ１０は持ち運び容易でどこでも使用できるようになっている。
【００３０】
図３はコントローラ７０の構成を示すブロック図である。図３に示すように、コントローラ７０は、ＣＰＵ７１を中心とするマイクロプロセッサとして構成されており、一時的にファイルリストＦＬなどのデータを記憶するＲＡＭ７２、各種処理プログラムや各種データ、各種プログラムや各種テーブルなどを記憶したＲＯＭ７３、プリント機構５０やメモリカードスロット１６、ＵＳＢメモリ（図示省略）などとの通信を可能とするインターフェース（Ｉ／Ｆ）７６などを備えている。また、コントローラ７０は、メモリカードＭやＵＳＢメモリに編集画像などを保存するほか、プリント機構５０の印刷ヘッド５５への制御信号や操作パネル２０の表示部２２への制御信号を出力する。
【００３１】
また、コントローラ７０には、Ｉ／Ｆ７６を通してメモリカードＭなどの外部記憶媒体から与えられる画像データに対し必要な画像処理を行うための画像処理モジュール７５が設けられている。画像処理モジュール７５はまた、表示部２２に表示させるためのメニュー画面などのプリンタ固有の画像に対応する画像データなどを生成する機能を有している。
【００３２】
画像処理モジュール７５から出力されるＲＧＢ画像データは、表示部２２を表示制御するためのＬＣＤコントローラ７４に与えられる。なお、以下では、ＬＣＤディスプレイにより構成される表示部２２の画素数はＱＶＧＡ（Quarter Video Graphics Array）形式の３２０ドット×２４０ドットであり、３２０ドット分の画素データにより画像データの１ラインが構成されており、２４０ラインのラインデータにより一の画像が構成される。
【００３３】
また、本実施形態では、ＲＯＭ７３に各種の画面表示制御用のプログラムが格納されており、ＣＰＵ７１がこれらのプログラムを実行することにより、各種の機能が実現されるように構成されている。次に、図２ないし図７を参照して、ＣＰＵ７１がＲＯＭ７３に格納されている画面表示制御用のプログラムを実行することにより実現される機能について説明する。
【００３４】
図４はファイルリストＦＬの一例を示す図である。図５は表示部２２に表示される画像の一例を示す図である。図６は画像ファイル数ＴＰに基づいて定められる飛越数MoveCntの一例を示す図である。図７は画像ファイルの飛越しの一例を示す図である。図３に示すように、ＣＰＵ７１はＲＯＭ７３に格納されているプログラムを実行することにより、図４に示すファイルリストＦＬを作成するファイルリスト作成手段７１１としての機能と、ファイルリストＦＬのなかかからインデックス番号IndexNo.を選択する選択手段７１２としての機能と、ファイルリストＦＬ中のファイル情報ＦＩが含む画像ファイルの撮影日（本発明の「生成日」に相当）dateの情報に基づいて、画像ファイルの撮影日dateに関する判定を行う判定手段７１３としての機能と、選択手段７１２がインデックス番号IndexNo.の選択を行った回数などをカウントするカウント手段７１４としての機能とを実現するように構成されている。また、ＣＰＵ７１は、Ｉ／Ｆ７６に指令を与えることにより、メモリカードＭなどの外部記憶媒体に格納された画像ファイルそれぞれに固有のファイル名ＦＮや撮影日dateに関する情報などをＩ／Ｆ７６を介して読取る機能と、ファイルリスト作成手段７１１により作成されたファイルリストＦＬをＲＡＭ７２に格納する機能と、画像処理モジュール７５およびＬＣＤコントローラ７４に指令を与えることにより選択手段７１２により選択されたインデックス番号IndexNo.に対応する画像ファイルに基づく画像を表示部２２に表示する機能とを備えている。なお、本実施形態では、メモリカードＭにはデジタルカメラやカメラ付携帯電話で撮影された画像ファイルが格納されているものとするが、メモリカードＭに格納される画像ファイルとしてはこれに限られず、例えばパーソナルコンピュータで生成した画像ファイルなど、どのような画像ファイルであってもよい。
【００３５】
ファイルリスト作成手段７１１は、Ｉ／Ｆ（本発明の「読取手段」に相当）７６を介して読取られたメモリカードＭに格納された各画像ファイルに固有のファイル名ＦＮのそれぞれにインデックス番号IndexNo.を割当てるものであって、割当てたインデックス番号IndexNo.と、当該インデックス番号IndexNo.に対応するファイル名ＦＮと、Ｉ／Ｆ７６を介して読取られた画像ファイルの撮影日dateに関する情報とを含むファイル情報ＦＩからなるファイルリストＦＬを作成する（図４参照）。また、ファイルリスト作成手段７１１は、画像ファイルの撮影日dateが古いものから順番にインデックス番号IndexNo.をファイル名ＦＮに割当てて構成したファイル情報ＦＩを、インデックス番号IndexNo.の順に並べてファイルリストＦＬを作成するように構成されている。
【００３６】
また、図３に示すように、ファイルリスト作成手段７１１により作成されたファイルリストＦＬはＲＡＭ７２に格納される。また、ファイルリスト作成手段７１１はファイルリストＦＬの作成時に、各画像ファイルの撮影日dateの情報に基づいて、すべての画像ファイルの撮影日dateの数である撮影日数（本発明の「生成日数」に相当）ＴＤを導出し、導出した撮影日数ＴＤをＲＡＭ７２に格納するように構成されている。また、ファイルリスト作成手段７１１は、ファイルリストＦＬの作成時にメモリカードＭから読取った画像ファイル数ＴＰをＲＡＭ７２に格納するように構成されている。以上のように、ＲＡＭ７２が本発明の「ファイルリスト格納手段」、「生成日数記憶手段」として構成されている。
【００３７】
なお、本実施形態では、インデックス番号IndexNo.を画像ファイルの撮影日dateが古いものから順番に割当てるように構成しているが、インデックス番号IndexNo.の割当て方はこれに限られず、各ファイル名ＦＮにどのようにインデックス番号IndexNo.を割当ててもよい。例えば、撮影日dateが新しいものから（直近に撮影したものから）順番にファイル名ＦＮにインデックス番号IndexNo.を割当ててもよいし、ファイル名ＦＮをアスキーコードで表現したときの番号順にインデックス番号IndexNo.を割当ててもよい。また、本実施形態では、インデックス番号IndexNo.を”数”で構成したが、インデックス番号IndexNo.としてはこれに限られず、各ファイル情報ＦＩを確実に分類できるものであれば、どのようなインデックス番号IndexNo.を採用しても構わない。
【００３８】
また、本実施形態では、メモリカードＭに１５０個の画像ファイルが格納されている場合を例に挙げて、ファイルリスト作成手段７１１は１５０個のファイル情報ＦＩから成るファイルリストＦＬを作成するように構成されているが、メモリカードＭに格納される画像ファイルの数としてはこの数に限られるものではない。
【００３９】
選択手段７１２は、操作パネル２０に設けられた左右矢印ボタン２４ｈ，２４ｉがユーザによる画像ファイル選択時に操作されると、ファイルリストＦＬのなかからインデックス番号IndexNo.を順次選択するように構成されている。また、本実施形態では、メモリカードＭのメモリカードスロット１６への挿入時に、選択手段７１２はまず、先頭のインデックス番号IndexNo.である”０”を選択するように構成されている（図４の太黒枠参照）。そして、右矢印ボタン２４ｉが押下されると、選択手段７１２は、ファイルリストＦＬのインデックス番号IndexNo.を小から大に昇順に選択し、最後のインデックス番号IndexNo.である”１４９”が選択された後は、次に先頭のインデックス番号IndexNo.である”０”を選択するように構成されている。すなわち、右矢印ボタン２４ｉが押下される度に、
”０”→”１”→”２”→……→”０”→”１”→”２”→……
のようにインデックス番号IndexNo.が選択される。
【００４０】
一方、左矢印ボタン２４ｈが押下されると、選択手段７１２は、ファイルリストＦＬのインデックス番号IndexNo.を大から小から大に降順に選択し、先頭のインデックス番号IndexNo.である”０”が選択された後は、次に最後のインデックス番号IndexNo.である”１４９”を選択するように構成されている。すなわち、左矢印ボタン２４ｉが押下される度に、
”０”→”１４９”→”１４８”→……→”０”→”１４９”→”１４８”→……
のようにインデックス番号IndexNo.が選択される。したがって、左右矢印ボタン２４ｈ，２４ｉのいずれか一方が押下されれば、選択手段７１２により選択中のインデックス番号IndexNo.から降順、または昇順にインデックス番号IndexNo.が選択されることとなる。
【００４１】
そして、選択手段７１２によりインデックス番号IndexNo.が選択されれば、ＣＰＵ７１からＩ／Ｆ７６に対して、選択されたインデックス番号IndexNo.のファイル名ＦＮに基づいて、当該ファイル名ＦＮに対応する画像ファイルの画像データをメモリカードＭから取得するように指令が与えられる。次に、画像処理モジュール７５およびＬＣＤコントローラ７４に対してＣＰＵ７１から指令が与えられることにより、Ｉ／Ｆ７６を介して取得された画像データに基づく画像ＩＭＧ、すなわち、選択手段７１２により選択されたインデックス番号IndexNo.に対応する画像ファイルの画像ＩＭＧが表示部２２に表示される（図５参照）。なお、選択手段７１２により新しいインデックス番号IndexNo.選択される度に、上記した手順と同様の手順により、新しく選択されたインデックス番号IndexNo.に対応する画像ファイルの画像ＩＭＧが、直前に選択されたインデックス番号IndexNo.に対応する画像ＩＭＧから切換えられて表示部２２に表示される。
【００４２】
また、図５に示すように、表示部２２には、選択手段７１２に選択されたインデックス番号IndexNo.に対応する画像ＩＭＧと同時に、当該画像ＩＭＧの画像ファイルの撮影日dateと、選択中のインデックス番号IndexNo.に対応する画像ファイルがメモリカードＭ中の全画像ファイルのおよそ何番目の画像ファイルであるのかを表すプログレスバーＰＢと、この画像ファイルが全画像ファイル中の何番目の画像ファイルであるのかを分数表示したものとが表示される。本実施形態では、この分数表示は、
（インデックス番号IndexNo.＋１）／画像ファイル数ＴＰ
のように、インデックス番号IndexNo.に基づいて表示される。
【００４３】
また、表示部２２の下方には、ユーザによる左右矢印ボタン２４ｈ，２４ｉおよびＯＫボタン２４ｊの操作を補助するためのガイド画像が表示される。すなわち、本実施形態では、左矢印ボタン２４ｈを押下すれば、選択手段７１２は、古い画像ファイルに向かう順番に画像ＩＭＧが表示部２２に表示されるように、インデックス番号を大から小に降順（戻るよう）に選択する。一方、右矢印ボタン２４ｉを押下すれば、選択手段７１２は、新しい画像ファイルに向かう順番に画像ＩＭＧが表示部２２に表示されるように、インデックス番号を小から大に昇順（進むよう）に選択する。また、ユーザが、特定の画像ファイルに対応する画像ＩＭＧが表示部２２に表示された状態でＯＫボタン２４ｊを押下することで、ＣＰＵ７１からプリント機構５０に指令が与えられ、表示部２２に表示された画像ＩＭＧと同一の画像が用紙Ｐに印刷されるようにプリント機構５０が駆動される。
【００４４】
このような構成とすれば、ユーザは、表示部２２に表示される画像ＩＭＧを見ながら左右矢印ボタン２４ｈ，２４ｉを画像検索のために操作することで、メモリカードＭに格納された画像ファイルから、特定の画像ファイルを検索することができる。以上のように、本実施形態では、ＬＣＤコントローラ７４、画像処理モジュール７５および表示部２２により本発明の「表示手段」が構成されている。次に、左右矢印ボタン２４ｈ，２４ｉのいずれかが長押しされたときの選択手段７１２の機能について詳細に説明する。
【００４５】
本実施形態では、選択手段７１２は、左右矢印ボタン２４ｈ，２４ｉのいずれかが長押しされれば、約０．５秒間に一度の割合で、いずれの矢印ボタン２４ｈ，２４ｉが押下されているかに応じて、インデックス番号IndexNo.を順次選択するように構成されている。また、選択手段７１２がインデックス番号IndexNo.の選択を行った選択回数cntがカウント手段７１４によりカウントされ、この選択回数cntがＲＡＭ７２のカウント数７２２として記憶される。
【００４６】
そして、選択手段７１２は、選択回数cntが所定回数以上となれば、図６に示すように、ファイルリストＦＬに並べられたファイル情報ＦＩの数、すなわち画像ファイル数ＴＰに応じて予め定められた飛越数（本発明の「所定値」に相当）MoveCnt毎にインデックス番号IndexNo.を飛越して選択するように構成されている。図６に示すように、具体的には、画像ファイル数ＴＰに応じて以下のように飛越数MoveCntが定められている。
【００４７】
（ａ）１  ≦  （画像ファイル数ＴＰ）  ＜  ５０
左右矢印ボタン２４ｈ，２４ｉのいずれかが長押しされたとしても、選択手段７１２は、常にインデックス番号IndexNo.を飛越すことなく順番に選択する。
【００４８】
（ｂ）５０  ≦  （画像ファイル数ＴＰ）  ＜２５０
左右矢印ボタン２４ｈ，２４ｉのいずれかが長押しされて、選択回数cntが１０回よりも大きくなれば、飛越数MoveCntが”１０”に定められる。
【００４９】
（ｃ）２５０  ≦  （画像ファイル数ＴＰ）
左右矢印ボタン２４ｈ，２４ｉのいずれかが長押しされて、選択回数cntが１０回よりも大きくなれば、飛越数MoveCntが”１０”に定められる。さらに、選択回数cntが２０回よりも大きくなれば、飛越数MoveCntが”５０”に定められる。なお、飛越数が２以上に設定された後は、カウント手段７１４は、選択手段７１２がインデックス番号IndexNo.を飛越して選択したときに１回の選択回数cntとしてカウントするように構成されている。
【００５０】
また、選択手段７１２は、ファイルリストＦＬにファイル情報ＦＩが並べられた各画像ファイルの撮影日dateに異なるものがあるときに、左右矢印ボタン２４ｈ，２４ｉのいずれかが長押しされたときは、以下のようにインデックス番号IndexNo.を選択するように構成されている。図７に示すように、右矢印ボタン２４ｉが長押しされており、選択手段７１２がインデックス番号IndexNo.を小から大に昇順に選択するときは、選択手段７１２は、ファイルリストＦＬの選択中のインデックス番号IndexNo.に対応する画像ファイルの撮影日dateと、当該インデックス番号IndexNo.から飛越数MoveCnt飛越したインデックス番号IndexNo.に対応する画像ファイルの撮影日dateとが異なるときに、選択中のインデックス番号IndexNo.に対応する画像ファイルと撮影日dateが同じ画像ファイルのインデックス番号IndexNo.のうち、最も大きいインデックス番号IndexNo.の次のインデックス番号IndexNo.、すなわち次の撮影日dateの画像ファイル群のインデックス番号IndexNo.のうち先頭のインデックス番号IndexNo.を選択するように、選択手段７１２は飛越数MoveCntを変更するように構成されている。
【００５１】
例えば、図７（ｂ）に示すように、選択中のインデックス番号IndexNo.が”１０”であるときに、飛越数MoveCntが”１０”に定められていれば、次に選択手段７１２により選択されるインデックス番号IndexNo.は”２０”である。しかしながら、インデックス番号IndexNo.が”１０”である画像ファイルの撮影日dateが2008/01/28である一方、インデックス番号が”２０”である画像ファイルの撮影日dateは2008/08/05となっているため、選択手段７１２は、撮影日dateが2008/01/28である画像ファイルのインデックス番号IndexNo.のうち、最も大きいインデックス番号IndexNo.である”１５”の次のインデックス番号IndexNo.の”１６”を選択するように飛越数MoveCntを”６”に変更する。すなわち、選択中のインデックス番号IndexNo.である”１０”の次に、”１６”がインデックス番号IndexNo.として選択されて、撮影日dateが200/08/05である画像ファイル群のうち先頭の画像ファイルが表示部２２に表示される。また、同図（ｃ）に示すように、飛越数MoveCntが”２０”に定められていれば、同様にして、選択手段７１２が選択するインデックス番号IndexNo.が次の撮影日dateの先頭のインデックス番号IndexNo.となるように、飛越数MoveCntが変更される。なお、図７では、ファイルリストＦＬにおけるファイル名ＦＮの記載は省略している。
【００５２】
一方、左矢印ボタン２４ｈが長押しされており、選択手段７１２がインデックス番号IndexNo.を大から小に降順に選択するときは、選択手段７１２は、上記右矢印ボタン２４ｉが長押しされているときと同様に飛越数MoveCntを変更するように構成されている。すなわち、選択中のインデックス番号IndexNo.に対応する画像ファイルの撮影日dateと、当該インデックス番号IndexNo.から飛越数MoveCnt飛越したインデックス番号IndexNo.に対応する画像ファイルの撮影日dateとが異なるときに、選択中のインデックス番号IndexNo.に対応する画像ファイルと撮影日dateが同じ画像ファイルのインデックス番号IndexNo.のうち、最も小さいインデックス番号IndexNo.の次のインデックス番号IndexNo.、すなわち次の撮影日dateの画像ファイル群のインデックス番号IndexNo.のうち最後のインデックス番号IndexNo.を選択するように、選択手段７１２は飛越数MoveCntを変更するように構成されている。
【００５３】
なお、右矢印ボタン２４ｉが長押しされているときは、選択手段７１２が選択中のインデックス番号IndexNo.よりも大きいすべてのインデックス番号IndexNo.に対応するファイルリストＦＬにおける撮影日dateの情報に基づき、当該選択中のインデックス番号IndexNo.に対応する撮影日dateと異なる日に撮影された画像ファイルのファイル情報ＦＩがファイルリストＦＬにあるか否かを判定手段７１３が判定するように構成されている。
【００５４】
一方、左矢印ボタン２４ｈが長押しされているときは、選択手段７１２が選択中のインデックス番号IndexNo.よりも小さいすべてのインデックス番号IndexNo.に対応するファイルリストＦＬにおける撮影日dateの情報に基づき、当該選択中のインデックス番号IndexNo.に対応する撮影日dateと異なる日に撮影された画像ファイルのファイル情報ＦＩがファイルリストＦＬにあるか否かを判定手段７１３が判定するように構成されている。したがって、選択手段７１２が選択中のインデックス番号IndexNo.の後に選択するインデックス番号IndexNo.に対応する画像ファイルの撮影日dateに、選択中のインデックス番号IndexNo.に対応する画像ファイルの撮影日dateと異なるものがあるか否かを容易に判定できる。
【００５５】
なお、上記したように、左右矢印ボタン２４ｈ，２４ｉのいずれかに対する所定時間以上の長押し操作が、本発明の「特定画像検索操作」として採用されている。「特定画像検索操作」としてはこの操作に限られず、例えば、専用の特定画像検索操作ボタンをさらに設け、新たに設けた特定画像検索操作ボタンの操作を「特定画像検索操作」として採用してもよい。その他、通常の「画像検索操作」と区別できる操作であれば、どのような操作を「特定画像検索操作」として採用してもよい。次に、図８を参照してメモリカードＭがメモリカードスロット１６に挿入されたときの処理について説明し、図９ないし図１２を参照して、右矢印ボタン２４ｉが長押しされたときの処理について説明し、図１３ないし図１５を参照して、左矢印ボタン２４ｈが長押しされたときの処理について説明する。なお、右矢印ボタン２４ｉが長押しされたときの処理と、左矢印ボタン２４ｈが長押しされたときの処理はほぼ同一であるため、それぞれのフローチャートには対応関係が分かるように符号を付している。
【００５６】
また、ファイルリストＦＬを構成するファイル情報ＦＩは、少なくともファイル名ＦＮに関する情報を含んでいればよい。このような構成としても、ファイルリストＦＬが格納されたＲＡＭ７２のメモリアドレスや、ＲＡＭ７２に構成したファイルリストＦＬ格納のための配列変数の一のデータの格納場所を特定するための添え字、または、ＲＡＭ７２に構成したファイルリスト格納のためのポインタ配列変数の一のデータの格納場所を特定するためのポインタアドレスなどを利用して、選択手段７１２はファイルリストＦＬから任意のファイル名ＦＮを選択することができ、選択手段７１２に選択されたファイル名ＦＮに対応する画像ファイルに基づく画像を表示部２２に表示することができる。また、これらのメモリアドレス、添え字、ポインタアドレスなどを、上記したインデックス番号IndexNo.と同様に利用してファイルリストＦＬの作成および画像ファイルの選択を行ってももちろんよい。
【００５７】
＜メモリカード挿入時処理＞
図８はメモリカード挿入時処理を示す図である。本実施形態では、メモリカードＭがメモリカードスロット１６に挿入されれば、「メモリカード挿入時処理」が実行され、ＣＰＵ７１からＩ／Ｆ７６に指令が与えられて、メモリカードスロット１６に挿入されたメモリカードＭに格納されている各画像ファイルそれぞれの、ファイル名ＦＮおよび撮影日dateに関する情報を読取るように構成されている（ステップＳ１）。そして、ファイルリスト作成手段７１１が撮影日dateの順番にファイル情報ＦＩを並べたファイルリストＦＬを作成し（ステップＳ２、図４参照）、作成されたファイルリストＦＬをＲＡＭ７２に格納する。
【００５８】
次に、以下の各変数である、
TotalPictureに画像ファイル数ＴＰを、
TotalDateに撮影日数ＴＤを、
DispIndexに”０”を
代入してＲＡＭ７２に格納する（ステップＳ３〜ステップＳ５）。なお、「DispIndex」とは、選択手段７１２が選択したインデックス番号IndexNo.を格納する変数である。すなわち、メモリカードＭのメモリカードスロット１６への挿入時には、選択手段７１２はインデックス番号IndexNo.の”０”を選択する。そして、ステップＳ６において、DispIndexに格納されたインデックス番号IndexNo.である”０”に対応する画像ファイルの画像を表示部２２に表示して処理を終了する。
【００５９】
＜右矢印ボタンポーリング処理＞
図９は右矢印ボタンポーリング処理を示す図である。本実施形態ではこの「右矢印ボタンポーリング処理」が約０．５秒に１回のポーリング処理として実行される。まず、この処理で使用されるフラグ７２１について説明する。
【００６０】
Pre_RightSWState…１回前の「右矢印ボタンポーリング処理」実行時に右矢印ボタン２４ｉが押下されていたときにＯＮに設定され、押下されていなかったときにＯＦＦに設定されるフラグ７２１であり、ＲＡＭ７２にこのフラグ７２１の状態が格納される、
Crr_RightSWState…「右矢印ボタンポーリング処理」実行時に右矢印ボタン２４ｉが押下されているときにＯＮに設定され、押下されていないときにＯＦＦに設定されるフラグ７２１であり、ＲＡＭ７２にこのフラグ７２１の状態が格納される。
【００６１】
まず、ステップＳ１０において、ＣＰＵ７１により右矢印ボタン２４ｉの押下状態が確認され、押下されているときはCrr_RightSWStateがＯＮに設定され、押下されていないときはCrr_RightSWStateがＯＦＦに設定されて、設定されたフラグ７２１の状態がＲＡＭ７２に格納される。次に、ステップＳ１１において、１回前の「右矢印ボタンポーリング処理」実行時の右矢印ボタン２４ｉの押下状態がＯＦＦであり、ステップＳ１０で確認した右矢印ボタン２４ｉの押下状態がＯＮであるかが判定されて、ＹＥＳと判定されれば、カウント手段７１４により選択回数cntが”０”に初期化される（ステップＳ１２）。次に、カウント手段７１４により選択回数cntに１加算され（ステップＳ１３）、後述する「画像の右送り処理」が実行される（ステップＳ１４）。そして、Pre_RightSWStateに現在のCrr_RightSWStateの状態が設定されて処理を終了する（ステップＳ１５）。
【００６２】
一方、ステップＳ１１においてＮＯと判定されば、前回の「右矢印ボタンポーリング処理」実行時の右矢印ボタン２４ｉの押下状態がＯＮであり、ステップＳ１０で確認した右矢印ボタン２４ｉの押下状態がＯＮであるかが判定される（ステップＳ１６）。ステップＳ１６においてＹＥＳと判定されれば、ステップＳ１３に進み、ＮＯと判定されればステップＳ１５に進む。
【００６３】
＜画像の右送り処理＞
図１０は画像の右送り処理を示す図である。まず、ステップＳ２０において、画像ファイル数ＴＰが”５０”よりも小さいかどうかが判定され、ＹＥＳと判定されれば、選択手段７１２により飛越数MoveCntが”１”に設定される（ステップＳ２１、図６（ａ）参照）。次に、後述する「インクリメント処理」が実行され（ステップＳ２２）、「インクリメント処理」において選択手段７１２に選択されたインデックス番号IndexNo.に対応する画像ファイルの画像が表示部２２に表示されて処理を終了する（ステップＳ２３）。
【００６４】
一方、ステップＳ２０においてＮＯと判定されれば、画像ファイル数ＴＰが”２５０”よりも小さいかどうかが判定され（ステップＳ２４）、ＹＥＳと判定されれば、さらに選択回数が１０よりも大きいかどうかが判定される（ステップＳ２５）。ステップＳ２５においてＮＯと判定されればステップＳ２１に進む。また、ステップＳ２５においてＹＥＳと判定されれば、選択手段７１２により飛越数MoveCntが”１０”に設定される（ステップＳ２６、図６（ｂ）参照）。次に、後述する「最終日チェック処理（インクリメント）」が実行されて（ステップＳ２７）、ステップＳ２２に進む。
【００６５】
また、ステップＳ２４においてＮＯと判定されれば、ステップＳ２８において、選択回数cntが２０よりも大きいかどうかが判定され、ＮＯと判定されればステップＳ２５に進む。一方、ステップＳ２８においてＹＥＳと判定されれば、選択手段７１２により飛越数MoveCntが”５０”に設定されてステップＳ２７に進む（ステップＳ２９、図６（ｃ）参照）。
【００６６】
＜インクリメント処理＞
図１１はインクリメント処理を示す図である。ステップＳ３０において、選択手段７１２が選択中のインデックス番号IndexNo.（DispIndex）に飛越数MoveCntを加算した値が画像ファイル数ＴＰ（TotalPicture）よりも小さいかどうかが判定される。ステップＳ３０においてＹＥＳと判定されれば、選択手段７１２は選択中のインデックス番号IndexNo.に飛越数MoveCntを加算した値を新しいインデックス番号IndexNo.として選択し、処理を終了する（ステップＳ３１）。一方、ステップＳ３０においてＮＯと判定されれば、選択手段７１２は選択中のインデックス番号IndexNo.に飛越数MoveCntを加算した値から画像ファイル数ＴＰ（TotalPicture）を減算した値を新しいインデックス番号IndexNo.として選択し、処理を終了する（ステップＳ３２）。このような構成とすれば、選択中のインデックス番号IndexNo.（DispIndex）に飛越数MoveCntを加算した値が画像ファイル数ＴＰ（TotalPicture）を越えたときは、インデックス番号IndexNo.の先頭に戻って画像ファイルの飛越しが行われることとなる。
【００６７】
＜撮影日チェック処理（インクリメント）＞
図１２は撮影日チェック処理（インクリメント）を示す図である。まず、撮影日数ＴＤ（TotalDate）が２以上であるかどうかが判定される（ステップＳ４０）。ステップＳ４０においてＹＥＳと判定されれば、選択手段７１２により選択中のインデックス番号IndexNo.よりも大きいすべてのインデックス番号IndexNo.に対応する画像ファイルのうちで、撮影日dateが選択中の画像ファイルよりも新しい画像ファイルがあるかどうかが判定される（ステップＳ４１）。ステップＳ４１においてＹＥＳと判定されれば、選択中のインデックス番号IndexNo.に対応する撮影日dateの（昇順に）次の撮影日dateの画像ファイル群の先頭のインデックス番号IndexNo.が、選択手段７１２により変数DateIndexに一時的に格納されてＲＡＭ７２に保存される（ステップＳ４２）。
【００６８】
続いて、選択中のインデックス番号IndexNo.（DispIndex）からDateIndexに格納されているインデックス番号IndexNo.まで飛越すための値が、選択手段７１２により変数DateOffsetに一時的に格納されてＲＡＭ７２に保存される（ステップＳ４３）。一方、ステップＳ４１においてＮＯと判定されれば、選択中のインデックス番号IndexNo.（DispIndex）から最後のインデックス番号IndexNo.の次まで飛越すための値が、選択手段７１２により変数DateOffsetに一時的に格納されてＲＡＭ７２に保存される（ステップＳ４６）。そして、選択中のインデックス番号IndexNo.から飛越数MoveCntだけ飛越したときに、飛越し後のインデックス番号IndexNo.に対応する撮影日dateが選択中の撮影日dateと異なるかどうかが判定される（ステップＳ４４）。ステップＳ４４においてＹＥＳと判定されれば、すなわち、撮影日dateが異ならないものと判定されれば、上述した「インクリメント処理」が実行されて処理を終了する（ステップＳ４５）。一方、ステップＳ４４においてＮＯと判定されれば、すなわち、撮影日dateが異なるものと判定されれば、選択手段７１２は、飛越数MoveCntをDateOffsetに一時的に格納されている値に変更して（ステップＳ４７）、ステップＳ４５に進む。
【００６９】
また、ステップＳ４０においてＮＯと判定されれば、ステップＳ４５に進む。このような構成とすれば、飛越数MoveCntを変更せずにステップＳ４５のインクリメント処理に進むと、次のインデックス番号IndexNo.を選択するときに複数の撮影日dateを跨ぐときには、選択手段７１２が飛越数MoveCntを変更することにより、選択中のインデックス番号IndexNo.に対応する撮影日dateの（昇順に）次の撮影日dateの画像ファイル群の先頭のインデックス番号IndexNo.が選択される。また、選択中のインデックス番号IndexNo.に対応する撮影日dateが、ファイルリストＦＬ中の撮影日dateのうちで、最も新しいものである場合には、ファイルリストＦＬの先頭のインデックス番号IndexNo.が選択手段７１２により選択される。
【００７０】
＜左矢印ボタンポーリング処理＞
図１３は左矢印ボタンポーリング処理を示す図である。本実施形態ではこの「左矢印ボタンポーリング処理」が約０．５秒に１回のポーリング処理として実行される。まず、この処理で使用されるフラグ７２１について説明する。
【００７１】
Pre_LeftSWState…１回前の「左矢印ボタンポーリング処理」実行時に左矢印ボタン２４ｈが押下されていたときにＯＮに設定され、押下されていなかったときにＯＦＦに設定されるフラグ７２１であり、ＲＡＭ７２にこのフラグ７２１の状態が格納される、
Crr_LeftSWState…「左矢印ボタンポーリング処理」実行時に左矢印ボタン２４ｈが押下されているときにＯＮに設定され、押下されていないときにＯＦＦに設定されるフラグ７２１であり、ＲＡＭ７２にこのフラグ７２１の状態が格納される。
【００７２】
まず、ステップ＃１０において、ＣＰＵ７１により、左矢印ボタン２４ｈの押下状態が確認され、押下されているときはCrr_LeftSWStateがＯＮに設定され、押下されていないときはCrr_LeftSWStateがＯＦＦに設定されて、設定されたフラグ７２１の状態がＲＡＭ７２に格納される。次に、ステップ＃１１において、１回前の「左矢印ボタンポーリング処理」実行時の左矢印ボタン２４ｈの押下状態がＯＦＦであり、ステップ＃１０で確認した左矢印ボタン２４ｈの押下状態がＯＮであるかが判定されて、ＹＥＳと判定されれば、カウント手段７１４により選択回数cntが”０”により初期化される（ステップ＃１２）。次に、カウント手段７１４により選択回数cntに１加算され（ステップ＃１３）、後述する「画像の左送り処理」が実行される（ステップ＃１４）。そして、Pre_LeftSWStateに現在のCrr_LeftSWStateの状態が設定されて処理を終了する（ステップ＃１５）。
【００７３】
一方、ステップ＃１１においてＮＯと判定されば、前回の「左矢印ボタンポーリング処理」実行時の左矢印ボタン２４ｈの押下状態がＯＮであり、ステップ＃１０で確認した左矢印ボタン２４ｈの押下状態がＯＮであるかが判定される（ステップ＃１６）。ステップ＃１６においてＹＥＳと判定されれば、ステップ＃１３に進み、ＮＯと判定されればステップ＃１５に進む。
【００７４】
＜画像の左送り処理＞
図１４は画像の左送り処理を示す図である。まず、ステップ＃２０において、画像ファイル数ＴＰが”５０”よりも小さいかどうかが判定され、ＹＥＳと判定されれば、選択手段７１２により飛越数MoveCntが”１”に設定される（ステップ＃２１、図６（ａ）参照）。次に、後述する「デクリメント処理」が実行され（ステップ＃２２）、「デクリメント処理」において選択手段７１２に選択されたインデックス番号IndexNo.に対応する画像ファイルの画像が表示部２２に表示されて処理を終了する（ステップ＃２３）。
【００７５】
一方、ステップ＃２０においてＮＯと判定されれば、画像ファイル数ＴＰが”２５０”よりも小さいかどうかが判定され（ステップ＃２４）、ＹＥＳと判定されれば、さらに選択回数が１０よりも大きいかどうかが判定される（ステップ＃２５）。ステップ＃２５においてＮＯと判定されればステップ＃２１に進む。また、ステップ＃２５においてＹＥＳと判定されれば、選択手段７１２により飛越数MoveCntが”１０”に設定される（ステップ＃２６、図６（ｂ）参照）。次に、後述する「最終日チェック処理（デクリメント）」が実行されて（ステップ＃２７）、ステップ＃２２に進む。
【００７６】
また、ステップ＃２４においてＮＯと判定されれば、ステップ＃２８において、選択回数cntが２０よりも大きいかどうかが判定され、ＮＯと判定されればステップ＃２５に進む。一方、ステップ＃２８においてＹＥＳと判定されれば、選択手段７１２により飛越数MoveCntが”５０”に設定されてステップ＃２７に進む（ステップ＃２９、図６（ｃ）参照）。
【００７７】
＜デクリメント処理＞
図１５はデクリメント処理を示す図である。ステップ＃３０において、選択手段７１２が選択中のインデックス番号IndexNo.（DispIndex）の値が飛越数MoveCntの値以上であるかどうかが判定される。ステップ＃３０においてＹＥＳと判定されれば、選択手段７１２は選択中のインデックス番号IndexNo.の値から飛越数MoveCntの値を減算した値を新しいインデックス番号IndexNo.として選択して処理を終了する（ステップ＃３１）。一方、ステップ＃３０においてＮＯと判定されれば、選択手段７１２は画像ファイル数ＴＰから、飛越数MoveCntの値から選択中のインデックス番号IndexNo.の値を減算した値を新しいインデックス番号IndexNo.として選択して処理を終了する（ステップ＃３２）。このような構成とすれば、選択中のインデックス番号IndexNo.（DispIndex）から飛越数MoveCntを減算した値がファイルリストＦＬ中の画像ファイルの先頭ファイルよりも前を示すものとなったときは、インデックス番号IndexNo.の最後に戻って画像ファイルの飛越しが行われることとなる。
【００７８】
＜撮影日チェック処理（デクリメント）＞
図１６は撮影日チェック処理（デクリメント）を示す図である。まず、撮影日数ＴＤ（TotalDate）が２以上であるかどうかが判定される（ステップ＃４０）。ステップ＃４０においてＹＥＳと判定されれば、選択手段７１２により選択中のインデックス番号IndexNo.よりも小さいすべてのインデックス番号IndexNo.に対応する画像ファイルのうちで、撮影日dateが選択中の画像ファイルよりも古い画像ファイルがあるかどうかが判定される（ステップ＃４１）。ステップ＃４１においてＹＥＳと判定されれば、選択中のインデックス番号IndexNo.に対応する撮影日dateの（降順に）次の撮影日dateの画像ファイル群の最後のインデックス番号IndexNo.が、選択手段７１２により変数DateIndexに一時的に格納されてＲＡＭ７２に保存される（ステップ＃４２）。
【００７９】
続いて、選択中のインデックス番号IndexNo.（DispIndex）からDateIndexに格納されているインデックス番号IndexNo.まで飛越すための値が、選択手段７１２により変数DateOffsetに一時的に格納されてＲＡＭ７２に保存される（ステップ＃４３）。一方、ステップ＃４１においてＮＯと判定されれば、選択中のインデックス番号IndexNo.（DispIndex）から先頭のインデックス番号IndexNo.の次まで飛越すための値が、選択手段７１２により変数DateOffsetに一時的に格納されてＲＡＭ７２に保存される（ステップ＃４６）。そして、選択中のインデックス番号IndexNo.から飛越数MoveCntだけ飛越したときに、飛越し後のインデックス番号IndexNo.に対応する撮影日dateが選択中の撮影日dateと異なるかどうかが判定される（ステップ＃４４）。ステップ＃４４においてＹＥＳと判定されれば、すなわち、撮影日dateが異ならないものと判定されれば、上述した「デクリメント処理」が実行されて処理を終了する（ステップ＃４５）。また、ステップ＃４４においてＮＯと判定されれば、すなわち、撮影日dateが異なるものと判定されれば、選択手段７１２は、飛越数MoveCntをDateOffsetに一時的に格納されている値に変更して（ステップ＃４７）、ステップ＃４５に進む。
【００８０】
また、ステップ＃４０においてＮＯと判定されれば、ステップ＃４５に進む。このような構成とすれば、飛越数MoveCntを変更せずにステップ＃４５のデクリメント処理に進むと、次のインデックス番号IndexNo.を選択するときに複数の撮影日dateを跨ぐときには、選択手段７１２が飛越数MoveCntを変更することにより、選択中のインデックス番号IndexNo.に対応する撮影日dateの（降順に）次の撮影日dateの画像ファイル群の最後のインデックス番号IndexNo.が選択される。また、選択中のインデックス番号IndexNo.に対応する撮影日dateが、ファイルリストＦＬ中の撮影日dateのうちで、最も古いものである場合には、ファイルリストＦＬの最後のインデックス番号IndexNo.が選択手段７１２により選択される。次に、図１７および図１８を参照して変形例について説明する。
【００８１】
＜変形例＞
図１７は第２撮影日チェック処理（インクリメント）を示す図である。また、図１８は第２撮影日チェック処理（デクリメント）を示す図です。この変形例が上記した処理と異なる点は、ユーザの左右矢印ボタン２４ｈ，２４ｉを操作することによる画像ファイルの選択（画像検索）操作時に、選択手段７１２により選択されたインデックス番号IndexNo.に対応する画像ファイルの撮影日dateが、直前に選択されたインデックス番号IndexNo.に対応する画像ファイルの撮影日dateと異なる回数を、カウント手段７１４がカウントして変数DateCntに格納してＲＡＭ７２にカウント数７２２として記憶する点である。
【００８２】
そして、判定手段７１３が、カウント数７２２（DateCnt）と、撮影日数ＴＤ（TotalDate)とを比較して、撮影日数ＴＤがカウント数DateCntよりも大きければ、選択手段７１２により選択済のインデックス番号IndexNo.に対応する撮影日dateと異なる日に撮影された画像ファイルのファイル情報ＦＩがファイルリストＦＬにあると判定するように構成されている（図１７のステップＳ４１ａ、図１８のステップ＃４１ａ参照）。その他の構成および動作は上記した処理と同様であるため、その構成および動作の説明は省略する。このような構成とすれば、判定手段７１３により、カウント手段７１４によりカウントされたカウント数DateCntと、ＲＡＭ７２により予め記憶された撮影日数ＴＤとが比較され、記憶された撮影日数ＴＤがカウント数DateCntよりも大きければ、選択手段７１２により選択済のインデックス番号IndexNo.に対応する撮影日dateと異なる日に撮影された画像ファイルのファイル情報ＦＩがファイルリストＦＬにあると容易に判定することができる。
【００８３】
以上のように、本実施形態では、ユーザによる左右矢印ボタン２４ｈ，２４ｉの長押し時には、選択手段７１２はファイルリストＦＬに並べられたファイル情報ＦＩの数に応じて予め定められた飛越数MoveCnt毎にインデックス番号IndexNo.を飛越して選択するため、メモリカードＭに格納された複数の画像ファイルを飛越数MoveCnt毎に飛越しながら画像が表示部２２に表示される。すなわち、メモリカードＭに格納された画像ファイルの数に応じて飛越数MoveCntが予め定められているため、ユーザの左右矢印ボタン２４ｈ，２４ｉの長押し時には、画像ファイルを適正な数だけ飛越しながら画像が表示部２２に表示される。したがって、どのような数の画像ファイルがメモリカードＭに格納されていても、メモリカードＭに格納された画像ファイルから特定の画像ファイルを効率よく検索できる。
【００８４】
また、ファイルリストＦＬにおけるファイル情報ＦＩの並び順を、画像ファイルの撮影日dateの順にすることで、画像ファイルの撮影日dateの順に画像が表示部２２に表示されることとなる。したがって、ユーザは、ファイルリストＦＬへのファイル情報ＦＩの並び順を直感的に知ることができるため、ユーザはメモリカードＭ内の画像ファイルから特定の画像ファイルを効率よく検索できる。特に、デジタルカメラなどの撮影機器で撮影した画像ファイルを、パーソナルコンピュータなどを介さずに直接フォトプリンタ１０などで画面表示するユーザにとって、直感的に分かりやすい並び順で画像表示できる。
【００８５】
また、選択中のインデックス番号IndexNo.に対応する画像ファイルの撮影日dateと、次に選択手段７１２により選択されるインデックス番号IndexNo.に対応する画像ファイルの撮影日dateとが異なるときは、選択手段７１２は、選択中のインデックス番号IndexNo.に対応する画像ファイルと撮影日dateの（昇順または降順に）次の撮影日dateの画像ファイル群の先頭または最後のインデックス番号IndexNo.を選択する。したがって、選択手段７１２は、画像ファイルの撮影日dateを大きく跨いで飛越すようにインデックス番号IndexNo.の選択を行わないため、撮影日dateを同じくする画像ファイル中での特定の画像ファイルの選択を、ユーザによる左右矢印ボタン２４ｈ，２４ｉの長押し操作で容易に実現できでる。このように、左右矢印ボタン２４ｈ，２４ｉを長押しするという簡単な操作で、表示部２２に表示される画像の送り量を調整することができ、特定の画像を検索する時間を短縮できる。
【００８６】
なお、本発明は上記した実施形態に限定されるものではなく、その趣旨を逸脱しない限りにおいて上述したもの以外に種々の変更を行うことが可能である。例えば、上記した実施形態では、本発明の「記憶手段」をメモリカードＭで構成したが、これに代えて光ディスクなどの種々の記憶媒体により「記憶手段」を構成できる。また、内蔵のハードディスクドライブなどで「記憶手段」を構成してもよい。
【００８７】
また、上記した実施形態では、選択手段７１２は、撮影日dateの情報に基づいて画像ファイルの選択時に異なる撮影日dateを大きく跨いで飛越さないように飛越数MoveCntの変更を行っているが、これを、撮影週、撮影月、撮影時間などの情報に基づいて飛越数MoveCntの変更を行うように構成してもよい。また、上記した実施形態では、ＲＯＭ７３に格納されている各種のプログラムをＣＰＵ７１が実行することにより、上記した各種機能が実現されるように構成されているが、これらの機能をハードウェアにより実現してもよい。
【００８８】
また、上記実施形態では、インクカートリッジ方式のフォトプリンタ１０を例として説明したが、その他のインクジェット式プリンタ等の画面表示装置にも本発明を適用してもよい。また、フォトビューワ、デジタルスチルカメラ、プロジェクタ、携帯電話の写真表示、パーソナルコンピュータなどの画像を表示可能な装置に本発明を広く適用できる。
【図面の簡単な説明】
【００８９】
【図１】本発明の画像表示装置の一実施形態であるフォトプリンタを示す斜視図。
【図２】フォトプリンタの内部構成の概略を示す図。
【図３】コントローラの構成を示すブロック図。
【図４】ファイルリストの一例を示す図。
【図５】表示部に表示される画像の一例を示す図。
【図６】画像ファイル数に基づいて定められる飛越数の一例を示す図。
【図７】画像ファイルの飛越しの一例を示す図。
【図８】メモリカード挿入時処理を示す図。
【図９】右矢印ボタンポーリング処理を示す図。
【図１０】画像の右送り処理を示す図。
【図１１】インクリメント処理を示す図。
【図１２】撮影日チェック処理（インクリメント）を示す図。
【図１３】左矢印ボタンポーリング処理を示す図。
【図１４】画像の左送り処理を示す図。
【図１５】デクリメント処理を示す図。
【図１６】撮影日チェック処理（デクリメント）を示す図。
【図１７】第２撮影日チェック処理（インクリメント）を示す図。
【図１８】第２撮影日チェック処理（デクリメント）を示す図。
【符号の説明】
【００９０】
１０…フォトプリンタ（画像表示装置）、２２…表示部（表示手段）、２４ｈ，２４ｉ…矢印ボタン（操作部）、７１１…ファイルリスト作成手段、７１２…選択手段、７１３…判定手段、７１４…カウント手段、７２…ＲＡＭ（ファイルリスト格納手段、生成日数記憶手段）、７４…ＬＣＤコントローラ（表示手段）、７５…画像処理モジュール（表示手段）、７６…インターフェース（Ｉ／Ｆ）（読取手段）、date…撮影日（生成日）、DateCnt…カウント数、ＦＩ…ファイル情報、ＦＬ…ファイルリスト、ＦＮ…ファイル名、IndexNo.…インデックス番号、MoveCnt…飛越数（所定値）
【図１】
2010016540.tif 000003
【図２】
2010016540.tif 000004
【図３】
2010016540.tif 000005
【図４】
2010016540.tif 000006
【図５】
2010016540.tif 000007
【図６】
2010016540.tif 000008
【図７】
2010016540.tif 000009
【図８】
2010016540.tif 000010
【図９】
2010016540.tif 000011
【図１０】
2010016540.tif 000012
【図１１】
2010016540.tif 000013
【図１２】
2010016540.tif 000014
【図１３】
2010016540.tif 000015
【図１４】
2010016540.tif 000016
【図１５】
2010016540.tif 000017
【図１６】
2010016540.tif 000018
【図１７】
2010016540.tif 000019
【図１８】
2010016540.tif 000020